(57)【要約】【課題】  プロジェクタにおいて、レンズキャップの紛失を防ぐと共に、プロジェクタの設置作業に際してレンズキャップがじゃまになることを防ぐ。【解決手段】  レンズ筒２の投光口２１を開閉するためのレンズキャップ３を備えたプロジェクタにおいて、レンズ筒２の投光口２１が上側の有効投光領域Ｚ１と下側の不使用領域Ｚ２とに上下に２区画されていて、不使用領域Ｚ２の少なくとも一部を遮蔽部２２で覆い、その遮蔽部２２の上端縁に、有効投光領域Ｚ１を開閉するレンズキャップ３を樹脂ヒンジ４を介して連設する。【選択図】        図１
2006171169.tif 000002
【特許請求の範囲】
【請求項１】
レンズ筒の投光口を開閉するためのレンズキャップを備えたプロジェクタにおいて、
当該プロジェクタは、上記レンズ筒の投光口が上側の有効投光領域と下側の不使用領域とに上下に２区画された反射型のプロジェクタであり、上記レンズ筒の不使用領域の少なくとも一部が遮蔽部で覆われ、その遮蔽部の上端縁に、上記有効投光領域又は有効投光領域と不使用領域の残部とを開閉する上記レンズキャップが樹脂ヒンジを介して連設されていて、上記レンズ筒、上記遮蔽部及び上記樹脂ヒンジと共に上記レンズキャップが樹脂で一体成形されていることを特徴とするプロジェクタ。
【請求項２】
レンズ筒の投光口を開閉するためのレンズキャップを備えたプロジェクタにおいて、
上記レンズキャップが上記レンズ筒に樹脂ヒンジを介して連設されていることを特徴とするプロジェクタ。
【請求項３】
上記レンズキャップが樹脂で上記レンズ筒と一体成形されている請求項２に記載したプロジェクタ。
【請求項４】
上記レンズ筒の投光口が上側の有効投光領域と下側の不使用領域とに上下に２区画されていると共に、その不使用領域の少なくとも一部が樹脂で上記レンズ筒と一体成形された遮蔽部で覆われ、その遮蔽部の上端縁に、上記樹脂ヒンジを介して上記有効投光領域又は有効投光領域と不使用領域の残部とを開閉する上記レンズキャップが連設されていることを請求項３に記載したプロジェクタ。
【請求項５】
フォーカス又はズームを手動回転させて調整するための調整リングを備えるレンズ筒の投光口を開閉するためのレンズキャップを備えたプロジェクタにおいて、
上記レンズキャップが、上記レンズ筒に対して固定手段の作用により定位置に取り付けられる取付部とその取付部に樹脂ヒンジを介して一体成形により連設された上記投光口を開閉するキャップ本体とを有し、上記取付部に、上記調整リングに対して摺動抵抗を与える摺動部と、上記調整リングが手動回転されたときの回転位置を指し示す目印とが備わっていると共に、上記調整リングに上記目印に対応する目盛りが備わっていることを特徴とするプロジェクタ。
【請求項６】
フォーカス又はズームを手動回転させて調整するための調整リングを備えるレンズ筒の投光口を開閉するためのレンズキャップを備えたプロジェクタにおいて、
上記レンズキャップが、上記レンズ筒に対する取付部とその取付部に樹脂ヒンジを介して一体成形により連設された上記投光口を開閉するキャップ本体とを有し、上記取付部に、上記調整リングに対して摺動抵抗を与える摺動部が備わっていることを特徴とするプロジェクタ。
【請求項７】
上記取付部を上記レンズ筒に対して固定する取付部固定手段が追加されていると共に、その取付部に、上記調整リングが手動回転されたときの回転位置を指し示す目印が備わっている請求項６に記載したプロジェクタ。
【発明の詳細な説明】
【技術分野】
【０００１】
本発明は、プロジェクタ、特にレンズ筒の投光口に着脱されるレンズキャップを備えるプロジェクタに関する。
【背景技術】
【０００２】
従来、プロジェクタのレンズ筒に着脱されるレンズキャップには、当該レンズキャップだけが単独で取り扱われるものがあったけれども、このものは、リンズ筒から取り外したレンズキャップの管理に多大な注意と関心とを払っていないと紛失してしまうおそれが多分にあった。また、レンズキャップをプロジェクタに紐で連結しておき、プロジェクタの使用時にレンズキャップをレンズ筒から取り外しても、そのレンズキャップが紐でレンズ筒につながれたままになってその紛失が防止されるようにしたものもあった。
【０００３】
一方、レンズキャップの紛失を防ぐために、そのレンズキャップを、レンズ用フードに取り付けるねじを有するリングに耐曲性プラスチックの蝶番で接続しておくという技術が従来より知られていた（特許文献１参照）。また、カメラのレンズ筒に取り付けられる取付部材に、機械的ヒンジ又は樹脂ヒンジを介してレンズキャップを連設することも従来より知られていた（特許文献２、特許文献３、特許文献４参照）。
【０００４】
さらに、プロジェクタの筐体を投映レンズを備える第１筐体と、その第１筐体にヒンジ部品を介して開閉可能に連結された第２筐体とに分け、その第２筐体に投映レンズ収容凹部を具備させることにより、第２筐体を閉じることによってその投映レンズ収容凹部に投映レンズが収容されるようにすることを従来より知られていた（特許文献５参照）。
【特許文献１】実開昭５７−１４１２８号公報
【特許文献２】特開平３−１５７６３５号公報
【特許文献３】実開昭５８−７１７２５号公報
【特許文献４】特開２００３−４３５５５号公報
【特許文献５】特開２００３−８４３６７号公報
【発明の開示】
【発明が解決しようとする課題】
【０００５】
しかしながら、プロジェクタにレンズキャップを紐で連結した上掲の従来例は、レンズキャップの紛失を防ぐという一応の目的を達成することができるものではあるけれども、プロジェクタを少し持ち上げて安定性よく設置面に設置する作業を行う場合などに、レンズ筒から取り外されてプロジェクタに紐で連結されているレンズキャップを設置面との間に挟んでしまうことが多々起こって非常に煩わしかった。
【０００６】
そこで、本発明は、レンズキャップをプロジェクタから分離しないように装備させることによってレンズキャップが紛失することを確実に防ぎ、しかも、プロジェクタの設置面への設置作業に際してのレンズキャップの取扱いを容易にしてレンズキャップがじゃまになるという煩わしさを無くすることのできるプロジェクタを提供することを目的とする。
【０００７】
また、本発明は、プロジェクタの光学特性を利用することによって、レンズキャップのコンパクト化を図ることのできるプロジェクタを提供することを目的とする。
【０００８】
さらに、本発明は、レンズ筒に備わっているフォーカス又はズームを調整するための調整リングの手動調整を、レンズキャップを利用して容易に行うことを可能にするプロジェクタを提供することを目的とする。
【課題を解決するための手段】
【０００９】
本発明に係るプロジェクタは、レンズ筒の投光口を開閉するためのレンズキャップを備えたプロジェクタにおいて、上記レンズキャップが上記レンズ筒に樹脂ヒンジを介して連設されている。この構成であると、レンズキャップをプロジェクタに紐で連結しておかなくても、レンズキャップがプロジェクタから分離することなく常にプロジェクタと共に取り扱われるため、レンズキャップが紛失する余地がなくなる。なお、レンズキャップの開閉は樹脂ヒンジの作用によって不都合なく行われる。
【００１０】
本発明では、上記レンズキャップが樹脂で上記レンズ筒と一体成形されていることが望ましい。これによれば、レンズキャップを別途成形する手間が省けてそれだけ部品点数の削減とコストダウンを図りやすくなる。
【００１１】
本発明では、上記レンズ筒の投光口が上側の有効投光領域と下側の不使用領域とに上下に２区画されていると共に、その不使用領域の少なくとも一部が樹脂で上記レンズ筒と一体成形された遮蔽部で覆われ、その遮蔽部の上端縁に、上記樹脂ヒンジを介して上記有効投光領域又は有効投光領域と不使用領域の残部とを開閉する上記レンズキャップが連設されている、という構成を採用することが可能である。レンズ筒の投光口が上側の有効投光領域と下側の不使用領域とに上下に２区画されているプロジェクタとしては、ＤＬＰ（デジタルライトプロセシング：反射型）のプロジェクタがある。このＤＬＰプロジェクタでは、レンズ筒の投光口の下側区画が不使用領域になっているので、その下側区画を遮蔽部で覆っておいても投映性能に何らの悪影響も及ばない。したがって、この発明のように構成しておくことによって、レンズキャップのコンパクト化が図られ、その開閉操作も容易に行うことができるようになる。
【００１２】
本発明では、レンズ筒の投光口を開閉するためのレンズキャップを備えたプロジェクタにおいて、当該プロジェクタは、上記レンズ筒の投光口が上側の有効投光領域と下側の不使用領域とに上下に２区画された反射型のプロジェクタであり、上記レンズ筒の不使用領域の少なくとも一部が遮蔽部で覆われ、その遮蔽部の上端縁に、上記有効投光領域又は有効投光領域と不使用領域の残部とを開閉する上記レンズキャップが樹脂ヒンジを介して連設されていて、上記レンズ筒、上記遮蔽部及び上記樹脂ヒンジと共に上記レンズキャップが樹脂で一体成形されている、という構成を採用することによっていっそう具体化される。
【００１３】
本発明に係る別の発明は、フォーカス又はズームを手動回転させて調整するための調整リングを備えるレンズ筒の投光口を開閉するためのレンズキャップを備えたプロジェクタにおいて、上記レンズキャップが、上記レンズ筒に対する取付部とその取付部に樹脂ヒンジを介して一体成形により連設された上記投光口を開閉するキャップ本体とを有し、上記取付部に、上記調整リングに対して摺動抵抗を与える摺動部が備わっている。
【００１４】
この発明では、レンズキャップが当該プロジェクタと別体にはなっているものの、レンズキャップの取付部をレンズ筒に取り付けることによってレンズキャップが当該プロジェクタと一体的に取り扱われることになって、レンズキャップを紛失するおそれがなくなる。また、レンズキャップの取付部の摺動部が、レンズ筒に備わっている調整リングに摺動抵抗を与えるように構成されているので、ユーザが調整リングを手動回転させたときに、その調整リングがユーザによる所望の回転位置で正確に停止するようになり、そのことが、フォーカス又はズームを調整しやすくすることに役立つ。
【００１５】
本発明では、上記取付部を上記レンズ筒に対して固定する取付部固定手段が追加されていると共に、その取付部に、上記調整リングが手動回転されたときの回転位置を指し示す目印が備わっていることが望ましい。これによれば、レンズキャップの取付部の目印を目安にして調整リングの回転調整を行うことができるので、映像を実際にスクリーンに写さなくてもフォーカス又はズームを適切に調整することが可能になる。
【００１６】
本発明では、フォーカス又はズームを手動回転させて調整するための調整リングを備えるレンズ筒の投光口を開閉するためのレンズキャップを備えたプロジェクタにおいて、上記レンズキャップが、上記レンズ筒に対して固定手段の作用により定位置に取り付けられる取付部とその取付部に樹脂ヒンジを介して一体成形により連設された上記投光口を開閉するキャップ本体とを有し、上記取付部に、上記調整リングに対して摺動抵抗を与える摺動部と、上記調整リングが手動回転されたときの回転位置を指し示す目印とが備わっていると共に、上記調整リングに上記目印に対応する目盛りが備わっている、という構成を採用することによっていっそう具体化される。
【発明の効果】
【００１７】
レンズキャップをプロジェクタのレンズ筒と一体に成形した本発明によれば、レンズキャップがプロジェクタから分離しないようにそのプロジェクタに装備されていることになるので、レンズキャップが紛失することが確実に防止される。しかも、レンズキャップがプロジェクタから紐で吊り下げられるという事態の起こる余地がないので、プロジェクタの設置面への設置作業に際してのレンズキャップの取扱いが容易になり、レンズキャップがじゃまになって煩わしいという事態が起こらなくなる。したがって、ユーザにとっては、レンズ筒から取り外したレンズキャップを管理するという煩わしさがなくなり、また、プロジェクタを設置面に設置するときにレンズキャップがじゃまになるという煩わしさがなくなる。
【００１８】
レンズ筒の投光口の不使用領域に遮蔽部や樹脂ヒンジを配備したものでは、プロジェクタの光学特性を利用してレンズキャップのコンパクト化や開閉操作の容易化が図られるという利点がある。
【００１９】
さらに、レンズ筒に備わっているフォーカス又はズームを調整するための調整リングに摺動抵抗が付与されるようにしたものでは、レンズキャップを利用して調整リングによるフォーカス又はズームの調整を容易に行うことができるようになり、ユーザにとっての使い勝手が向上するという利点がある。
【発明を実施するための最良の形態】
【００２０】
図１に本発明の実施形態に係るプロジェクタを示してあり、（Ａ）（Ｃ）は要部の側面図、（Ｂ）（Ｄ）は要部の正面図である。また、図３（Ａ）（Ｂ）はＤＬＰプロジェクタ（反射型プロジェクタ）の光学特性を示した説明図である。
【００２１】
図３（Ａ）はＤＬＰプロジェクタの要部の側面図であり、１は筐体、２はレンズ筒で、レンズ筒２にはレンズ（不図示）が取り付けられている。このＤＬＰプロジェクタでは、筐体１に収容されている光学系の構造的理由によって、図３（Ｂ）のようにレンズ筒２の投光口２１が上側の有効投光領域Ｚ１と下側の不使用領域Ｚ２とに上下に２区画されている。言い換えると、レンズ筒２に取り付けられているレンズは、投映に使われる上側区画と投映に使われない下側区画とに分かれていて、一般的には、不使用領域Ｚ２の高さが投光口２１の直径の１／３〜１／２になっている。そして、矢印Ｐのように、レンズ筒２の投光口２１から照射される光軸は、水平軸線に対してθだけ上向きに傾いている。
【００２２】
この実施形態のプロジェクタでは、上記のようにレンズ筒２の投光口２１が上側の有効投光領域Ｚ１と下側の不使用領域Ｚ２とに上下に２区画されていることを利用して、レンズ筒２の投光口２１を開閉するためのレンズキャップ３を装備させてある。すなわち、図１のように、レンズ筒２の投光口２１の不使用領域Ｚ２の一部又は全部を、レンズ筒２と共に樹脂で一体成形した遮蔽部２２で覆わせてあると共に、その遮蔽部２２のまっすぐな上端縁の全長に亘って形成した樹脂ヒンジ４にレンズキャップ３を樹脂で一体成形することにより、その樹脂ヒンジ４を介してレンズキャップ３をその遮蔽部２２に連設してある。レンズキャップ３には、レンズ筒２に嵌脱される円弧状の嵌合片３１が備わっていて、図３（Ｃ）のように樹脂ヒンジ４を伸ばして上記嵌合片３１をレンズ筒２の外側に嵌め込むことによって投光口２１の有効投光領域Ｚ１が閉じられる。また、図３（Ｂ）のように嵌合片３１をレンズ筒２から取り外して樹脂ヒンジ４を折り曲げることにより、投光口２１の有効投光領域Ｚ１が開き、その有効投光領域Ｚ１から投映画像を投写することが可能になる。
【００２３】
この実施形態のプロジェクタによれば、レンズキャップ３がプロジェクタのレンズ筒２に、遮蔽部２２や樹脂ヒンジ４と共に樹脂で一体成形されているので、レンズキャップ３を単独で取り扱う必要がなく、また、レンズキャップ３がプロジェクタから分離されてしまうことがないので、そのレンズキャップ３が紛失するという事態が起こり得なくなる。また、プロジェクタを設置面に設置するときに、レンズキャップ３が設置面とプロジェクタとの間に挟まれるという事態も起こり得ないので、プロジェクタを設置するときにレンズキャップがじゃまになることもない。
【００２４】
さらに、レンズキャップ３は、レンズ筒２の投光口２１の上側区画、すなわち有効投光領域Ｚ１だけを開閉し得る大きさを備えておればよいので、投光口２１の全体を開閉する大きさのものに比べてコンパクトになって、その開閉操作が容易になるという利点がある。
【００２５】
図２に本発明の他の実施形態に係るプロジェクタを示してあり、（Ａ）（Ｂ）は要部の側面図、（Ｃ）は要部の正面図、（Ｄ）はレンズキャップ３の斜視図である。
【００２６】
同図（Ｄ）のように、レンズキャップ３は、正面視が円弧状に形成された取付部３５とキャップ本体部３７とをまっすぐな樹脂ヒンジ３９によって連設してなる。そして、同図（Ａ）（Ｂ）のように、取付部３５がレンズ筒２の略下半部に嵌め込まれていて、そのレンズ筒２の略上半部がキャップ本体部３７によって開閉されるようになっている。また、同図（Ｃ）によって類推することができるように、取付部３５は、その内周面によって形成されている摺動部３６が、レンズ筒２と同心状に配備されている手動で回転操作される調整リング５の外周面に接触していて、その調整リング５が手動回転されるときには、取付部３５の摺動部３６によって調整リング５に摺動抵抗が付与されるようになっている。さらに、取付部３５の周方向中央部にはその軸線方向に延びる係合溝部３８が備わり、その係合溝部３８に、プロジェクタの筐体１に設けられたリブ状の係合突起１２が左右方向及び上下方向のがたつきなく嵌合してその取付部３５をレンズ筒２に押し付けて固定している。ここで、係合溝部３８とそれに係合している係合突起１２とは、レンズキャップ３をレンズ筒２に対して定位置に取り付けるための固定手段を形成している。
【００２７】
上記調整リング５は、フォーカス又はズームを調整するために設けられていて、プロジェクタを設置面に設置して映像をスクリーンに映し出すときなどに手動で回転操作される。そして、この調整リング５には目盛り５１が施されているのに対し、上記取付部３５の上端縁３５ａが、目盛り合わせのための目印６として形成されている。
【００２８】
このプロジェクタは、既述したＤＬＰプロジェクタであり、その光学特性により、図３で説明したようにレンズ筒２の投光口２１が上側の有効投光領域Ｚ１と下側の不使用領域Ｚ２とに上下に２区画されている。そして、上記取付部３５によって不使用領域Ｚ２の一部又は全部が覆われるようになっている。
【００２９】
この実施形態のプロジェクタによると、レンズキャップ３が当該プロジェクタと別体にはなっているものの、レンズキャップ３の取付部３５をレンズ筒２に取り付けることによってレンズキャップ３が当該プロジェクタと一体的に取り扱われることになって、レンズキャップ３を紛失するおそれや、プロジェクタを設置するときにレンズキャップ３がじゃまになるおそれがない。そして、特にこの実施形態によれば、レンズキャップ３の取付部３５の摺動部３６が調整リング５に摺動抵抗を与えるように構成されているので、ユーザが調整リング５を手動回転させることによってフォーカス又はズームを調整するときに、その調整リング５がユーザによる所望の回転位置で正確に停止し、停止した後に回転方向での位置ずれが起こらなくなって、フォーカス又はズームを調整しやすくなるだけでなく、取付部３５の目印６や調整リング５の目盛り５１を目安にして調整リング５の回転調整を行うことができるので、映像を実際にスクリーンに写さなくてもフォーカス又はズームを適切に調整することが可能になるという利点がある。
【００３０】
なお、図２で説明したプロジェクタはＤＬＰプロジェクタであるので、レンズ筒２の投光口２１の不使用領域Ｚ２（図３（Ｂ）参照）を取付部３５で覆うようにしてあるけれども、プロジェクタがＬＣＤプロジェクタ（リキッドクリスタルディスプレープロジェクタ：透過型プロジェクタ）である場合には、投光口２１の全体が投光に使用されるため、取付部の前面を開放し、かつ、その取付部の下端に樹脂ヒンジを介して円形のキャップ本体部を連設しておけばよい。
【図面の簡単な説明】
【００３１】
【図１】（Ａ）は本発明の実施形態に係るプロジェクタにおいて、レンズキャップを開いた状態の要部の側面図、（Ｂ）は（Ａ）の正面図、（Ｃ）は同レンズキャップを閉じた状態の要部の側面図、（Ｄ）は（Ｃ）の正面図である。
【図２】（Ａ）は他の実施形態に係るプロジェクタにおいて、レンズキャップを開いた状態の要部の側面図、（Ｂ）は同レンズキャップを閉じた状態の要部の側面図、（Ｃ）は要部の縦断正面図、（Ｄ）はレンズキャップの概略斜視図である。
【図３】（Ａ）はＤＬＰプロジェクタ（反射型プロジェクタ）の光学特性を示した説明図、（Ｂ）は同光学特性を説明するための正面図である。
【符号の説明】
【００３２】
２  レンズ筒
３  レンズキャップ
４  樹脂ヒンジ
５  調整リング
６  目印
１２  係合突起（固定手段）
２１  投光口
２２  遮蔽部
３５  取付部
３６  摺動部
３７  キャップ本体部
３８  係合溝部（固定手段）
３９  樹脂ヒンジ
５１  目盛り
Ｚ１  有効投光領域
Ｚ２  不使用領域
【図１】
2006171169.tif 000003
【図２】
2006171169.tif 000004
【図３】
2006171169.tif 000005